(57)【要約】      （修正有）【課題】本考案は、再生しようとする音声信号を取得してステレオ音声で出力するワイヤレスイヤホン装置及び／又はマルチメディア通信装置を収納するための拡声装置を含む音声再生システムを提供する。【解決手段】拡声装置１、ワイヤレスイヤホン２及びマルチメディア通信装置３を含む。拡声装置内部に拡声回路モジュールを設け、拡声装置に第１収納スペース１０２と第２収納スペース１０４とを設け、第１収納スペースには第１磁性素子１０１を設け、第２収納スペースには第２磁性素子１０３を設ける。ワイヤレスイヤホンは第１収納スペース内に設けると共に拡声回路モジュールと電気的に接続され、さらに第１磁気素子を設ける。また、マルチメディア通信装置は第２収納スペース内に収納することができ、拡声回路モジュールと電気的に接続され、さらに第２磁気素子を設ける。【選択図】図１
0003159971.tif 000002
【実用新案登録請求の範囲】
【請求項１】
音声再生システムであって、
内部に拡声回路モジュールを設け、第１磁性素子を設けた第１収納スペースと、第２磁性素子を設けた第２収納スペースとを設けた拡声装置と、
前記第１収納スペースに収納されて前記拡声回路モジュールに電気的に接続され、第１磁気素子を設けるワイヤレスイヤホンと、
前記第２収納スペースに収納されて前記拡声回路モジュールに電気的に接続され、第２磁気素子を設けるマルチメディア通信装置と、
を含むことを特徴とする音声再生システム。
【請求項２】
前記拡声回路モジュールは、
前記第１収納スペースに配置されて第１ステレオ音声信号を受信する前記ワイヤレスイヤホンに接続される第１コネクタと、
前記第２収納スペースに配置されて第２ステレオ音声信号を受信する前記マルチメディア通信装置に接続される第２コネクタと、
前記第１コネクタと前記第２コネクタとに電気的に接続され、前記第１ステレオ音声信号と前記第２ステレオ音声信号とを受信し、ステレオ出力音声信号を出力する音声信号処理装置と、
前記音声信号処理装置に電気的に接続され、前記ステレオ出力音声信号を受信してステレオ音声を発生させるスピーカと、
を含むことを特徴とする請求項1に記載の音声再生システム。
【請求項３】
前記拡声回路モジュールは、前記音声信号処理装置に電気的に接続された音量調整装置をさらに含み、音量調整信号を前記音声信号処理装置に出力することを特徴とする請求項２に記載の音声再生システム。
【請求項４】
前記拡声回路モジュールは、前記第１コネクタ、前記第２コネクタ及び前記音声信号処理装置に電気的に接続された電圧調整装置をさらに含み、それぞれ第１充電電圧、第２充電電圧及び操作電圧を前記第１コネクタ、前記第２コネクタ及び前記音声信号処理装置に出力することを特徴とする請求項２に記載の音声再生システム。
【請求項５】
前記拡声回路モジュールは、外部電源と前記電圧調整装置とに電気的に接続された電源スイッチをさらに含むことを特徴とする請求項４に記載の音声再生システム。
【請求項６】
前記拡声回路モジュールは、前記電圧調整装置に電気的に接続されたエネルギー貯蔵素子をさらに含むことを特徴とする請求項４に記載の音声再生システム。
【請求項７】
前記拡声装置はさらに第１ラッチ機構を設け、前記ワイヤレスイヤホンをラッチする第１収納スペースを提供することを特徴とする請求項１に記載の音声再生システム。
【請求項８】
前記拡声装置はさらに第２ラッチ機構を設け、前記マルチメディア通信装置をラッチする第２収納スペースを提供することを特徴とする請求項７に記載の音声再生システム。
【請求項９】
前記ワイヤレスイヤホンはブルートゥースステレオイヤホンであり、
音声信号入力ユニットと、
第１音声信号出力ユニットと、
前記第１コネクタに電気的に接続された第１対応コネクタと、
第１電池と、
前記音声信号入力ユニット、前記第１音声信号出力ユニット、前記第１対応コネクタ及び前記第１の電池に電気的に接続され、遠隔で入力音声信号を受信して第１ステレオ音声信号を前記第１音声信号出力ユニットと前記第１対応コネクタに出力するブルートゥースステレオ音声モジュールと、
を含むことを特徴とする請求項２に記載の音声再生システム。
【請求項１０】
前記マルチメディア通信装置はさらに、
マルチメディア保存ユニットと、
第２電池と、
第２音声信号出力ユニットと、
ブルートゥース通信モジュールと、
前記第２コネクタに電気的に接続された第２対応コネクタと、
前記マルチメディア保存ユニット、前記第２の電池、前記第２音声信号出力ユニット、前記ブルートゥース通信モジュール及び前記第２対応コネクタに電気的に接続され、前記マルチメディア保存ユニットから音楽データを受信して第２ステレオ音声信号を前記第２音声信号出力ユニット、前記ブルートゥース通信モジュール又は前記第２対応コネクタに出力するマルチメディア処理モジュールと、
を含むことを特徴とする請求項２に記載の音声再生システム。
【請求項１１】
ワイヤレスイヤホン及び／又はマルチメディア通信装置に電気的に接続された拡声装置であって、
前記第１磁性素子を設けて前記ワイヤレスイヤホンを収納する第１収納スペースと、
前記第２磁性素子を設けて前記マルチメディア通信装置を収納する第２収納スペースと、
拡声回路モジュールと、
を含み、前記拡声回路モジュールは、
前記第１収納スペース内に配置して前記ワイヤレスイヤホンに接続され、前記ワイヤレスイヤホンから第１ステレオ音声信号を受信する第１コネクタと、
前記第２収納スペース内に配置して前記マルチメディア通信装置に接続され、前記マルチメディア通信装置から第２ステレオ音声信号を受信する第２コネクタと、
前記第１コネクタと前記第２コネクタとに電気的に接続され、前記第１ステレオ音声信号と前記第２ステレオ音声信号とを受信し、ステレオ出力音声信号を出力する音声信号処理装置と、
前記音声信号処理装置に電気的に接続され、前記ステレオ出力音声信号を受信してステレオ音声を発生させるスピーカと、
を含むことを特徴とする拡声装置。
【請求項１２】
前記拡声回路モジュールは、前記音声信号処理装置に電気的に接続された音量調整装置をさらに含み、音量調整信号を前記音声信号処理装置に出力することを特徴とする請求項１１に記載の拡声装置。
【請求項１３】
前記拡声回路モジュールは、前記第１コネクタ、前記第２コネクタ及び前記音声信号処理装置に電気的に接続された電圧調整装置をさらに含み、第１充電電圧、第２充電電圧及び操作電圧を前記第１コネクタ、前記第２コネクタ及び前記音声信号処理装置にそれぞれ出力することを特徴とする請求項１２に記載の拡声装置。
【請求項１４】
前記拡声回路モジュールは、外部電源と前記電圧調整装置とに電気的に接続された電源スイッチをさらに含むことを特徴とする請求項１３に記載の拡声装置。
【請求項１５】
前記拡声回路モジュールは、前記電圧調整装置に電気的に接続されたエネルギー貯蔵素子をさらに含むことを特徴とする請求項１４に記載の拡声装置。
【請求項１６】
さらに第１ラッチ機構を設け、前記ワイヤレスイヤホンをラッチする第１収納スペースを提供することを特徴とする請求項１１に記載の拡声装置。
【請求項１７】
さらに第２ラッチ機構を設け、前記マルチメディア通信装置をラッチする第２収納スペースを提供することを特徴とする請求項１６に記載の拡声装置。
【考案の詳細な説明】
【技術分野】
【０００１】
本考案はワイヤレスイヤホン装置及び／又はマルチメディア通信装置が収納可能で、しかも前記装置がステレオ音声で出力するシステムを提供する音声再生システムに関する。
【背景技術】
【０００２】
ＡＶ様式のデジタル化やハードウェア技術の進歩に伴い、マルチメディア通信装置はユーザーの通信面でのニーズに応えるだけでなく、ＡＶや画像の再生をも提供できるようになっており、しかも製品のダウンサイジングによってユーザーが携帯できる利便性も提供したことにより、広く受け入れられ利用されてきた。マルチメディア通信装置が通信する際、ユーザーはブルートゥースイヤホンと組合せてハンズフリーでマルチメディア通信装置の音楽を取得したり聞いたりすることができる。
【０００３】
しかしブルートゥースイヤホンの多くはユーザーが片側の耳に掛けて使用して音声を聞くように設計されているので、ブルートゥースイヤホンで音楽を聴くと、片側だけしか出力されず音響効果が損なわれてしまう可能性が大きい。また、ブルートゥースイヤホンは一般にユーザーが一人で通信するものであるため、ブルートゥースイヤホンで音楽を聴くと、イヤホン機能として制限されてしまい、ユーザーは単独でしか音楽を聞けず、多人数で聴くことには適さない。またマルチメディア通信装置はそれ自体に音楽機能が備わっているとはいえ、ダウンサイジング化に伴う制限により、通常、モノラル音声出力しかないため、同様に音響効果が損なわれてしまう。
【考案の概要】
【考案が解決しようとする課題】
【０００４】
これに鑑みて本考案に係る実施形態は、再生しようとする音声信号を取得してステレオ音声で出力するワイヤレスイヤホン装置及び／又はマルチメディア通信装置を収納するための拡声装置を含む音声再生システムを提供する。
【課題を解決するための手段】
【０００５】
本考案に係る実施形態の音声再生システムは、拡声装置、ワイヤレスイヤホン及びマルチメディア通信装置を含む。拡声装置内部に拡声回路モジュールを設け、拡声装置に第１磁性素子を設けた第１収納スペースと、第２磁性素子を設けた第２収納スペースとを設ける。ワイヤレスイヤホンは第１収納スペースに収納されて拡声回路モジュールに電気的に接続されると共にさらに第１磁気素子を設ける。また、マルチメディア通信装置は第２収納スペースに収納されて拡声回路モジュールに電気的に接続されると共にさらに第２磁気素子を設ける。
【考案の効果】
【０００６】
これまでに述べたことをまとめると、本考案に係る実施形態の音声再生システムは、ワイヤレスイヤホン及び／又はマルチメディア通信装置を拡声装置に設けて拡声回路モジュールと電気的に接続する。こうしてワイヤレスイヤホン及び／又はマルチメディア通信装置は拡声回路モジュールによりステレオ音声出力を行い、ユーザー或いは多数の人がステレオ音声の音楽を聴くことができる。
【０００７】
以上の記述並びに以下の詳細な説明は何れも模範的性質のものであり、本考案に係る実用新案登録請求の範囲を説明するためのものである。本考案に関連するその他の目的や長所は下記の説明や図面にて解説する。
【図面の簡単な説明】
【０００８】
【図１】本考案に係る実施形態における外観の概略図である。
【図２】本考案に係る実施形態における拡声装置内部の拡声回路モジュールの機能ブロック概略図である。
【図３】本考案に係る実施形態におけるワイヤレスイヤホンの機能ブロック概略図である。
【図４】本考案に係る実施形態におけるマルチメディア通信装置の機能ブロック概略図である。
【図５Ａ】本考案に係る実施形態における拡声装置内部の細部の回路概略図である。
【図５Ｂ】本考案に係る実施形態における拡声装置内部の細部の回路概略図である。
【考案を実施するための形態】
【０００９】
図１は本考案に係る実施形態における外観の概略図である。図１に示すように、本考案の音声再生システムは主に拡声装置１、ワイヤレスイヤホン２及びマルチメディア通信装置３を含む。拡声装置１に第１収納スペース１０２と第２収納スペース１０４とを設け、第１収納スペース１０２の内部にさらに第１磁性素子１０１を設けると共に、第２収納スペース１０４の内部にさらに第２磁性素子１０３を設ける。
【００１０】
再び図１を参照する。ワイヤレスイヤホン２は結合したり分離したりして第１収納スペース１０２内に収納することができる。ワイヤレスイヤホン２は第１収納スペース１０２に結合されると、拡声装置１内部の拡声回路モジュール（図示せず）と電気的に接続される。また、ワイヤレスイヤホン２にさらに第１磁気素子２０を設け、ワイヤレスイヤホン２が第１収納スペース１０２に接近すると、第１収納スペース１０２内の第１磁性素子１０１がワイヤレスイヤホン２の第１磁気素子２０を吸着して、ワイヤレスイヤホン２は速やかに第１収納スペース１０２内に収納される。
【００１１】
再び図１を参照する。マルチメディア通信装置３は結合したり分離したりして第２収納スペース１０４内に収納することができる。マルチメディア通信装置３は第２収納スペース１０４に結合されると、拡声装置１内部の拡声回路モジュール（図示せず）と電気的に接続される。また、マルチメディア通信装置３にさらに第２磁気素子３０を設け、マルチメディア通信装置３が第２収納スペース１０４に接近すると、第２収納スペース１０４内の第２磁性素子１０３がマルチメディア通信装置３の第２磁気素子３０を吸着して、マルチメディア通信装置３は速やかに第２収納スペース１０４内に収納される。
【００１２】
前記第１磁気素子２０と第２磁気素子３０は金属素子又はその他の磁気吸引素子でよい。このように、本考案のワイヤレスイヤホン２が第１収納スペース１０２に接近したり、或いはマルチメディア通信装置３が第２収納スペース１０４に接近したりすると、磁気吸着の原理によって、第１収納スペース１０２内の第１磁性素子１０１がワイヤレスイヤホン２を吸引して、速やかに第１収納スペース１０２内に収納されて拡声装置１と電気的に接続され、或いは第２収納スペース１０４内の第２磁性素子１０３がマルチメディア通信装置３を吸引して、速やかに第２収納スペース１０４内に収納されて拡声装置１と電気的に接続される。
【００１３】
再び図１を参照する。ワイヤレスイヤホン２が第１収納スペース１０２に収納されたり、或いはマルチメディア通信装置３が第２収納スペース１０４に収納されたりすると、ワイヤレスイヤホン２とマルチメディア通信装置３はＵＳＢや金属接点により拡声装置１と電気的に接続される。また、拡声装置１はさらに第１ラッチ機構１１２と第２ラッチ機構１１３とを設け、第１ラッチ機構１１２はユーザーがワイヤレスイヤホン２を第１収納スペース１０２内にラッチするように選択して、児童がワイヤレスイヤホン２を取り出して誤って飲み込むことを防止する。また、第２ラッチ機構１１３はユーザーがマルチメディア通信装置３を第２収納スペース１０４内にラッチするように選択して、児童がマルチメディア通信装置３を取り出すことを防止する。
【００１４】
再び図１を参照する。ワイヤレスイヤホン２が第１収納スペース１０２に収納されたり、或いはマルチメディア通信装置３が第２収納スペース１０４に収納されたりすると、拡声装置１は、ワイヤレスイヤホン２やマルチメディア通信装置３から送信される音声信号を増幅してスピーカ１００からステレオ音声を再生することができる。また、ユーザーは拡声装置１の電源スイッチ１０５を操作して拡声装置１を作動させることが可能であると共に、拡声装置１の音量調整装置１０６を操作して再生音量を調整することもできる。このほか、拡声装置１は別々に又は同時にワイヤレスイヤホン２とマルチメディア通信装置３とを充電することも可能である。
【００１５】
図１と併せて図２、図５Ａ、図５Ｂを参照する。図２は本考案に係る実施形態における拡声装置内部の拡声回路モジュールの機能ブロック概略図である。図５Ａ、図５Ｂは本考案に係る実施形態における拡声装置内部の細部の回路概略図である。図２に示すように、本考案の拡声装置１の内部の拡声回路モジュール１０は主に第１コネクタ１１０、第２コネクタ１１１、音声信号処理装置１０７及びスピーカ１００を含む。第１コネクタ１１０は拡声装置１の第１収納スペース１０２内に配置されてワイヤレスイヤホン２に接続され、ワイヤレスイヤホン２から第１ステレオ音声信号Ｓ１を受信する。一方、第２コネクタ１１１は拡声装置１の第２収納スペース１０４内に配置されてマルチメディア通信装置３に接続され、マルチメディア通信装置３から第２ステレオ音声信号Ｓ２を受信する。
【００１６】
再び図２を参照する。音声信号処理装置１０７は第１コネクタ１１０、第２コネクタ１１１に電気的に接続され、それぞれ第１コネクタ１１０から第１ステレオ音声信号Ｓ１を受信し、或いは第２コネクタ１１１から第２ステレオ音声信号Ｓ２を受信して音声信号処理を行い、ステレオ出力音声信号Ｓ３をスピーカ１００に出力する。スピーカ１００はステレオ出力音声信号Ｓ３を受信しステレオ出力音声信号Ｓ３によりステレオ音声を再生する。
【００１７】
再び図２を参照する。拡声装置１内の拡声回路モジュール１０はさらに音量調整装置１０６を含み、音量調整装置１０６は音声信号処理装置１０７に電気的に接続されて、音量調整信号Ｓ４を音声信号処理装置１０７に出力する。音声信号処理装置１０７は音量調整信号Ｓ４に基づいて第１ステレオ音声信号Ｓ１又は第２ステレオ音声信号Ｓ２のエネルギーを強めたり弱めたりして、ステレオ出力音声信号Ｓ３をスピーカ１００に送信して再生する。また、音量調整装置１０６が出力する音量調整信号Ｓ４はさらに音声信号処理装置１０７の音声信号の処理機能をオンしたりオフにしたりして、音声信号処理装置１０７を制御して前記ステレオ出力音声信号Ｓ３をスピーカ１００に出力するのを停止させて、拡声装置１の待機時の電力ロスを抑えることができる。
【００１８】
再び図２を参照する。本考案の拡声装置１内の拡声回路モジュール１０は、電圧調整装置１０８、電源スイッチ１０５及びエネルギー貯蔵素子１０９で構成された電源供給ユニット（図示せず）をさらに含む。電圧調整装置１０８は第１コネクタ１１０、第２コネクタ１１１、電源スイッチ１０５、エネルギー貯蔵素子１０９及び音声信号処理装置１０７に電気的に接続される。電圧調整装置１０８は電源スイッチ１０５を通じて外部電源（Ｐｏｗｅｒ  Ｉｎ）に電気的に接続され、外部電源又はエネルギー貯蔵素子１０９の電力によりそれぞれ第１充電電圧Ｖ１、第２充電電圧Ｖ２、操作電圧Ｖ３を第１コネクタ１１０、第２コネクタ１１１及び音声信号処理装置１０７に出力する。
【００１９】
このように、本考案の電源供給ユニットは、音声信号処理装置１０７の作動用電力と、ワイヤレスイヤホン２やマルチメディア通信装置３の充電用電力とを供給することができる。このため、電源供給ユニットが電力を供給する実施態様は、外付けの電源の利用と内部の貯蔵エネルギーの利用等の２種類の実施方法を含む。
【００２０】
図２と併せて図３を参照する。図３は本考案に係る実施形態におけるワイヤレスイヤホン２の機能ブロック概略図である。本考案のワイヤレスイヤホン２はブルートゥースステレオイヤホンであり、その内部は音声信号入力ユニット２４、第１音声信号出力ユニット２６、第１対応コネクタ２８、第1電池２７、ブルートゥースステレオ音声モジュール２２を含む。第１対応コネクタ２８は拡声装置１の第１コネクタ１１０に電気的に接続される。また、ブルートゥースステレオ音声モジュール２２は音声信号入力ユニット２４、第１音声信号出力ユニット２６、第１対応コネクタ２８及び電池２７に電気的に接続されて、ブルートゥース通信装置のように遠隔操作で入力音声信号Ｓｂを受信し、第１ステレオ音声信号Ｓ１を第１音声信号出力ユニット２６や第１対応コネクタ２８に出力することができる。
【００２１】
本考案の実施形態では、ワイヤレスイヤホン２が拡声装置１内の第１収納スペース１０２に収納されて拡声装置１と電気的に接続されると、ワイヤレスイヤホン２内のブルートゥースステレオ音声モジュール２２が第１ステレオ音声信号Ｓ１の出力ルートを、第１音声信号出力ユニット２６への出力から、第１対応コネクタ２８への出力に切換える。このようにワイヤレスイヤホン２が収納された拡声装置1は第１ステレオ音声信号Ｓ１によってステレオ音声を再生することができる。
【００２２】
図２と併せて図４を参照する。図４は本考案に係る実施形態におけるマルチメディア通信装置３の機能ブロック概略図である。本考案のマルチメディア通信装置３はブルートゥース通信装置であり、その内部にはマルチメディア保存ユニット３４、第２電池３７、第２音声信号出力ユニット３６、ブルートゥース通信モジュール３５、第２対応コネクタ３８及びマルチメディア処理モジュール３２を含む。第２対応コネクタ３８は拡声装置１の第２コネクタ１１１を電気的に接続するためのものである。また、マルチメディア処理モジュール３２はマルチメディア保存ユニット３４、電池３７、第２音声信号出力ユニット３６、ブルートゥース通信モジュー３５及び第２対応コネクタ３８に電気的に接続され、マルチメディア処理モジュール３２はマルチメディア保存ユニット３４から音楽データＳｍを受信し、第２ステレオ音声信号Ｓ２を第２音声信号出力ユニット３６、ブルートゥース通信モジュー３５又は第２対応コネクタ３８に出力することができる。
【００２３】
本考案の実施形態では、マルチメディア通信装置３が拡声装置１内の第２収納スペース１０４に収納されて拡声装置１と電気的に接続されると、マルチメディア通信装置３内のマルチメディア処理モジュール３２が第２ステレオ音声信号Ｓ２の出力ルートを、第２音声信号出力ユニット３６又はブルートゥース通信モジュー３５への出力から、第２対応コネクタ３８への出力に切換える。このようにマルチメディア通信装置３が収納された拡声装置1は第２ステレオ音声信号Ｓ２によってステレオ音声を再生することができる。
【００２４】
これまで述べたことをまとめると、本考案に係る実施形態における音声再生システムはワイヤレスイヤホン及び／又はマルチメディア通信装置を拡声装置に設けて拡声回路モジュールと電気的に接続する。こうしてワイヤレスイヤホン及び／又はマルチメディア通信装置は拡声回路モジュールによりステレオ音声出力を行い、ユーザー或いは多くの人がステレオ音声の音楽を聴くことができる。また、ワイヤレスイヤホン及び／又はマルチメディア通信装置が拡声装置内に収納されると、拡声装置はさらに充電をして多元的に応用することができる。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１      拡声装置
１００  スピーカ
１０１  第１磁性素子
１０２  第１収納スペース
１０３  第２磁性素子
１０４  第２収納スペース
１０５  電源スイッチ
１０６  音量調整装置
１０７  音声信号処理装置
１０８  電圧調整装置
１０９  エネルギー貯蔵素子
１１０  第１コネクタ
１１１  第２コネクタ
１１２  第１ラッチ機構
１１３  第２ラッチ機構
１０    拡声回路モジュール
２      ワイヤレスイヤホン
２０    第１磁気素子
２２    ブルートゥースステレオ音声モジュール
２４    音声信号入力ユニット
２６    第１音声信号出力ユニット
２７    第１電池
２８    第１対応コネクタ
３      マルチメディア通信装置
３０    第２磁気素子
３２    マルチメディア処理モジュール
３４    マルチメディア保存ユニット
３５    ブルートゥース通信モジュール
３６    第２音声信号出力ユニット
３７    第２電池
３８    第２対応コネクタ
Ｓ１    第１ステレオ音声信号
Ｓ２    第２ステレオ音声信号
Ｓ３    ステレオ出力音声信号
Ｓ４    音量調整信号
Ｖ１    第１充電電圧
Ｖ２    第２充電電圧
Ｖ３    操作電圧
Ｓｂ    入力音声信号
Ｓｍ    音楽データ
【図１】
0003159971.tif 000003
【図２】
0003159971.tif 000004
【図３】
0003159971.tif 000005
【図４】
0003159971.tif 000006
【図５Ａ】
0003159971.tif 000007
【図５Ｂ】
0003159971.tif 000008
【手続補正書】
【提出日】平成22年3月29日(2010.3.29)
【手続補正１】
【補正対象書類名】実用新案登録請求の範囲
【補正対象項目名】請求項９
【補正方法】変更
【補正の内容】
【請求項９】
前記ワイヤレスイヤホンはブルートゥースステレオイヤホンであり、
音声信号入力ユニットと、
第１音声信号出力ユニットと、
前記第１コネクタに電気的に接続された第１対応コネクタと、
第１電池と、
前記音声信号入力ユニット、前記第１音声信号出力ユニット、前記第１対応コネクタ及び前記第１電池に電気的に接続され、遠隔で入力音声信号を受信して第１ステレオ音声信号を前記第１音声信号出力ユニットと前記第１対応コネクタに出力するブルートゥースステレオ音声モジュールと、
を含むことを特徴とする請求項２に記載の音声再生システム。
【手続補正２】
【補正対象書類名】実用新案登録請求の範囲
【補正対象項目名】請求項１０
【補正方法】変更
【補正の内容】
【請求項１０】
前記マルチメディア通信装置はさらに、
マルチメディア保存ユニットと、
第２電池と、
第２音声信号出力ユニットと、
ブルートゥース通信モジュールと、
前記第２コネクタに電気的に接続された第２対応コネクタと、
前記マルチメディア保存ユニット、前記第２電池、前記第２音声信号出力ユニット、前記ブルートゥース通信モジュール及び前記第２対応コネクタに電気的に接続され、前記マルチメディア保存ユニットから音楽データを受信して第２ステレオ音声信号を前記第２音声信号出力ユニット、前記ブルートゥース通信モジュール又は前記第２対応コネクタに出力するマルチメディア処理モジュールと、
を含むことを特徴とする請求項２に記載の音声再生システム。
【手続補正３】
【補正対象書類名】実用新案登録請求の範囲
【補正対象項目名】請求項１１
【補正方法】変更
【補正の内容】
【請求項１１】
ワイヤレスイヤホン及び／又はマルチメディア通信装置に電気的に接続された拡声装置であって、
第１磁性素子を設けて前記ワイヤレスイヤホンを収納する第１収納スペースと、
第２磁性素子を設けて前記マルチメディア通信装置を収納する第２収納スペースと、
拡声回路モジュールと、
を含み、前記拡声回路モジュールは、
前記第１収納スペース内に配置して前記ワイヤレスイヤホンに接続され、前記ワイヤレスイヤホンから第１ステレオ音声信号を受信する第１コネクタと、
前記第２収納スペース内に配置して前記マルチメディア通信装置に接続され、前記マルチメディア通信装置から第２ステレオ音声信号を受信する第２コネクタと、
前記第１コネクタと前記第２コネクタとに電気的に接続され、前記第１ステレオ音声信号と前記第２ステレオ音声信号とを受信し、ステレオ出力音声信号を出力する音声信号処理装置と、
前記音声信号処理装置に電気的に接続され、前記ステレオ出力音声信号を受信してステレオ音声を発生させるスピーカと、
を含むことを特徴とする拡声装置。